(57)【要約】【課題】ファン特性の個体差があっても空気通路の閉塞度の増大に応じてファンの目標回転数を適切に設定することができる燃焼機器の調整方法を提供する。【解決手段】バーナが内蔵された空気通路に設けられたファンを備えるガスファンヒータの製造ラインの燃焼検査領域において、バーナが燃焼している状態でファンを下限電流値で制御する。このときのファン回転数が許容範囲内であれば合格とし、許容範囲外であれば適切な値に補正を行う。前記検査及び補正を高負荷時と低負荷時において行い、ファンの特性に応じた補正値とする。このように、実際に空気通路が閉塞された状態を想定してファン回転数の検査を行い、下限電流値でファンを回転させた際のファン回転数が許容範囲外であれば補正を行うため、ガスファンヒータに個体差があった場合であってもその個体差を解消してファン回転数を適切なものとすることができる。【選択図】  図３
2004183928.tif 000002
【特許請求の範囲】
【請求項１】
バーナが内蔵された空気通路に設けられ前記バーナに燃焼用空気を供給するファンと、ファン回転数が前記バーナの燃焼量に応じた目標回転数に一致するようにファン電流を制御するファン制御手段とを備え、前記ファン制御手段が前記空気通路の閉塞度によりファン電流が減少し記憶手段に記憶された下限電流値以下となる場合に前記ファン電流を前記下限電流値に保持する下限電流値制御を行う燃焼機器を調整する方法であって、
前記ファン制御手段により前記下限電流値制御が行われている際に前記ファンの回転数が所定の許容範囲内となるように前記下限電流値を調整することを特徴とする燃焼機器の調整方法。
【請求項２】
前記下限電流値の調整は、前記ファン制御手段により前記ファン電流を前記下限電流値に制御すると共にファン回転数が所定の許容範囲内であるかを検査し、ファン回転数が前記許容範囲を超えているときはファン回転数が許容範囲内となるように前記下限電流値を変更することを特徴とする請求項１に記載の燃焼機器の調整方法。
【請求項３】
前記下限電流値の調整は、前記ファンの回転数の前記許容範囲内において基準となる基準回転数を予め定め、前記ファン制御手段によりファン回転数が前記基準回転数となるように前記ファン電流を制御し、前記ファンが前記基準回転数となるファン電流を新たな下限電流値とすることを特徴とする請求項１に記載の燃焼機器の調整方法。
【請求項４】
前記下限電流値の調整は、前記ファンの回転数の前記許容範囲内において基準となる基準回転数を予め定め、前記ファン制御手段によりファン回転数が前記基準回転数となるように前記ファン電流を制御すると共にファン電流が所定の許容範囲内であるかを検査し、ファン電流が前記許容範囲を超えているときは前記下限電流値を前記許容範囲内に変更することを特徴とする請求項１に記載の燃焼機器の調整方法。
【請求項５】
前記下限電流値の調整は、前記バーナの最大燃焼時と最小燃焼時とにおいて行うことを特徴とする請求項１乃至４のいずれか１項に記載の燃焼機器の調整方法。
【請求項６】
前記記憶手段は不揮発性記憶手段であり、前記下限電流値の調整の際に前記下限電流値が変更されたときは、前記不揮発性記憶手段に変更後の下限電流値が記憶されることを特徴とする請求項１乃至５のいずれか１項に記載の燃焼機器の調整方法。
【請求項７】
前記燃焼機器が燃焼温度の上限値を検知する過熱検知手段と前記空気通路の閉塞を検知する閉塞検知手段を備え、前記下限電流値の調整の際に前記過熱検知手段及び前記閉塞検知手段の作動を解除することを特徴とする請求項１乃至６のいずれか１項に記載の燃焼機器の調整方法。
【発明の詳細な説明】
【０００１】
【発明の属する技術の分野】
本発明は、温風暖房機や給湯器等の燃焼機器の個体差を調整する方法に関する。
【０００２】
【従来の技術】
温風暖房機や給湯器等の燃焼機器は燃焼が行われるバーナを備えており、このバーナを含む空気通路にはバーナに燃焼用空気を供給するファンと、ファン回転数が前記バーナの燃焼量に応じた目標回転数に一致するようにファン電流を制御するファン制御手段とを備えているものが知られている。そして、本願発明者等は、下記特許文献１に開示されているように、長期間の使用により空気通路に設けられたエアフィルタ等が徐々に閉塞していった場合であってもバーナの燃焼が適切なものとなるように制御を行う温風暖房機を提供している。
【０００３】
エアフィルタの閉塞が進行するとファンの負荷が減少していき、ファン回転数を目標回転数に維持するためのファン電流が減少する。これに伴い、バーナに供給される空気の量が減少するので、空気通路の閉塞が進行するとバーナの燃焼を適切に保つことができなくなる。そこで、特許文献１に開示された温風暖房機は、前記ファン制御手段がファン電流を所定の下限電流値以下にしなければファン回転数を目標回転数に維持できない状態となったときに、エアフィルタが閉塞したものとみなし、ファン電流を前記下限電流値に保持してファンの運転を行っている。
【０００４】
このように、下記特許文献１における温風暖房機では、所定条件下でファン電流を一定に保つことにより、空気通路の閉塞が進行してファンの負荷が徐々に減少した場合に、負荷の減少によるファン回転数の相対的な増加を生じさせてバーナの正常燃焼を確保している。
【０００５】
【特許文献１】
特許第２６１５３５４号公報（第３頁、第５図）
【０００６】
【発明が解決しようとする課題】
一方、同一の規格で製造された燃焼機器であってもファン電流とファン回転数との関係においてはファン或いはファンモータ等の部品やマイコン等のばらつきにより個体差があり、空気通路に閉塞がない状態でファン回転数が同一であってもファン電流が相違するものもある。しかしながら、従来は前記下限電流値は一定の値であった。
【０００７】
従って、空気通路の閉塞が進行してファン電流が前記下限電流値で制御されていた場合において、燃焼機器の個体差によりファン回転数がバーナの正常燃焼に必要な回転数よりも高くなったり低くなったりするおそれがある。ファン回転数がバーナの正常燃焼に必要な回転数よりも高くなると、燃焼用空気が過剰となってバーナから異常燃焼音が生じたりリフティングが生じるおそれがある。逆にファン回転数がバーナの正常燃焼に必要な回転数よりも低くなると燃焼用空気が不足してバーナの燃焼が不良となり、バーナの燃焼に伴い発生するドレンがＣＯを包含して酸性が強くなり、燃焼装置においてドレンが付着する部分の耐久性が低下するおそれがある。
【０００８】
そこで、本発明は、燃焼機器の改良を目的とし、さらに詳しくは前記不都合を解消するためにファン特性の個体差があっても空気通路の閉塞度の増大に応じてファンの目標回転数を適切に設定することができる燃焼機器の調整方法を提供することを目的とする。
【０００９】
【課題を解決するための手段】
前記目的を達成するために、本発明の燃焼機器の調整方法は、バーナが内蔵された空気通路に設けられ前記バーナに燃焼用空気を供給するファンと、ファン回転数が前記バーナの燃焼量に応じた目標回転数に一致するようにファン電流を制御するファン制御手段とを備え、前記ファン制御手段が前記空気通路の閉塞度によりファン電流が減少し記憶手段に記憶された下限電流値以下となる場合に前記ファン電流を前記下限電流値に保持する下限電流値制御を行う燃焼機器を調整する方法であって、前記ファン制御手段により前記下限電流値制御が行われている際に前記ファンの回転数が所定の許容範囲内となるように前記下限電流値を調整する。
【００１０】
前記燃焼機器は、前記空気通路が閉塞されていない状態では、前記ファン制御手段により前記バーナの燃焼量に応じて前記ファン回転数を目標回転数に一致させるようにファン電流を制御しているため、個体差に関係なく前記バーナの燃焼が良好に行われる。そして、本発明においては、前記ファン制御手段により前記下限電流値制御が行われている際に前記ファンの回転数が所定の許容範囲内となるように前記下限電流値を調整している。この下限電流値の調整により、前記燃焼機器の個体差を解消して前記下限電流値制御の際の前記バーナの燃焼を良好なものとすることができる。尚、前記許容範囲内とは所定回転数を含む概念である。
【００１１】
また、本発明の燃焼機器の調整方法においては、前記下限電流値の調整は、前記ファン制御手段により前記ファン電流を前記下限電流値に制御すると共にファン回転数が所定の許容範囲内であるかを検査し、ファン回転数が前記許容範囲を超えているときはファン回転数が許容範囲内となるように前記下限電流値を変更してもよい。
【００１２】
このように、ファン回転数が所定の許容範囲内から外れた場合にのみ燃焼機器の調整を行うことにより、複数台の燃焼機器の調整を行う場合は、下限電流値の変更を行うものはその一部に限られるので、全体として調整時間の短縮を図ることができる。
【００１３】
あるいは、前記下限電流値の調整は、前記ファンの回転数の前記許容範囲内において基準となる基準回転数を予め定め、前記ファン制御手段によりファン回転数が前記基準回転数となるように前記ファン電流を制御し、前記ファンが前記基準回転数となるファン電流を新たな下限電流値としてもよい。
【００１４】
あるいは、前記下限電流値の調整は、前記ファンの回転数の前記許容範囲内において基準となる基準回転数を予め定め、前記ファン制御手段によりファン回転数が前記基準回転数となるように前記ファン電流を制御すると共にファン電流が所定の許容範囲内であるかを検査し、ファン電流が前記許容範囲を超えているときは前記下限電流値を前記許容範囲内に変更してもよい。
【００１５】
このように、ファン電流が所定の許容範囲内から外れた場合にのみ燃焼機器の調整を行うことにより、複数台の燃焼機器の調整を行う場合は、下限電流値の変更を行うものはその一部に限られるので、全体として調整時間の短縮を図ることができる。
【００１６】
また、本発明の燃焼機器の調整方法においては、前記下限電流値の調整は、前記バーナの最大燃焼時と最小燃焼時とにおいて行うことが好ましい。このように前記バーナの最大燃焼時と最小燃焼時に前記調整を行うことにより、前記ファン回転数が高い場合と低い場合の前記ファンの特性を明確にすることができるため、精度の高い調整を行うことができる。
【００１７】
また、本発明の燃焼機器の調整方法においては、前記記憶手段を不揮発性記憶手段とし、前記下限電流値の調整の際に前記下限電流値が変更されたときは、前記不揮発性記憶手段に変更後の下限電流値を記憶させることが好ましい。前記記憶手段としては、不揮発性記憶手段の他、可変抵抗等を用いたボリューム等を用いることができるが、前記不揮発性記憶手段とすることにより、燃焼機器の調整用の扉等を開けることなく前記記憶手段に記憶された値を変更することができる。従って、実際の使用時に近い状態で前記下限電流値の調整を行うことができるため、精度の高い調整が可能となる。
【００１８】
また、前記燃焼機器が燃焼温度の上限値を検知する過熱検知手段と前記空気通路の閉塞を検知する閉塞検知手段を備えているときは、前記下限電流値の調整の際に前記過熱検知手段及び前記閉塞検知手段の作動を解除することが好ましい。前記バーナが燃焼状態のときに前記ファンを下限電流値で制御した場合は一時的に燃焼機器の温度が上昇し、前記過熱検知手段によって運転が停止される場合がある。また、前記ファンを下限電流値で制御しているときは前記閉塞検知手段によってフィルタの閉塞が進行したと判断されてエラー処理がなされる場合がある。従って、前記ファン回転数の検査時はこのような運転停止やエラー処理がなされないように前記過熱検知手段及び前記閉塞検知手段における閾値を変更する等の手段によりこれらの手段の作動を解除して前記下限電流値の調整を行っている。
【００１９】
【発明の実施の形態】
次に、本発明の燃焼機器の調整方法の実施形態の一例について、図１乃至図５を参照して説明する。図１は燃焼機器の構成を示す説明図、図２は燃焼機器の電気的構成を示すブロック図、図３は第１の実施形態の燃焼機器の調整方法を示すフローチャート、図４は本発明の第２の実施形態の調整方法を示すフローチャート、図５は本発明の第３の実施形態の調整方法を示すフローチャートである。
【００２０】
まず、第１の実施形態の調整方法により調整される燃焼機器についてガスファンヒータＦＨを例として説明する。ガスファンヒータＦＨは、図１に示すように、室内に配置される本体ケース１内に、ダクト２（空気通路）、送風ファン３、ガスバーナ４、ダクト５（空気通路）、ガス供給管６及び制御ユニット７を備えている。
【００２１】
ダクト２は、温風の送風路を構成するものであり、室内空気ｓを取り込むための吸気口８が本体ケース１の背面に開口し、温風の吹出口９が本体ケース１の前面下部に開口している。吸気口８には、塵や埃等がダクト２内に流入するのを防ぐエアフィルタ１０が着脱自在に取付けられている。吹出口９には、その開口度合いを調節する可動式ルーバ１１が設けられており、可動式ルーバ１１はギャドモータ１２により駆動される。ダクト２内部の吸気口８付近には、サーミスタにより構成された室温センサ１３が取付けられ、室温センサ１３は室温に応じた信号を制御ユニット７に出力する。
【００２２】
送風ファン３は、通電電流に比例して回転数が変化するファンモータ１４と、ダクト２内に吹出口９に臨んで配置され、ファンモータ１４により回転駆動される回転羽根１５とを有する。送風ファン３は、回転羽根１５の回転により吸気口８からダクト２内に室内空気ｓを吸引し、その吸引した室内空気ｓをダクト２内に組み込まれたガスバーナ４の燃焼排気ｈと混合し、それを温風ｍとして吹出口９から室内へ吹き出す。また、送風ファン３のファンモータ１４の回転軸には、その回転数を検出するための回転数センサ１６が設けられている。
【００２３】
ガスバーナ４は、ダクト２内に配置された燃焼胴１７内に燃焼プレート１８を配し、点火電極１９を燃焼プレート１８の下流側に配している。燃焼プレート１８の下流側には燃焼炎の有無を検知するための熱電対２０が配置されている。また、ダクト５は、室内空気ｓと燃料ガスとをガスバーナ４に供給するための通路であり、本体ケース１の背面で開口した室内空気ｓの吸気口２１を有している。ダクト５のガスバーナ４側の箇所には、ガス供給管６の先端に取付けられたノズル２２が設けられている。ガス供給管６には、その上流側から順に電磁弁２４，２５及び電磁比例弁２６が配設されている。
【００２４】
本体ケース１の外面部には、運転スイッチ２７、室温設定スイッチ２８及びフィルタランプ２９が配設されている。フィルタランプ２９は、エアフィルタ１０の目詰まりが進行している場合等、送風ファン３の回転作動時の風量が正常な場合に比してある程度少なくなる場合に、制御ユニット７の通電制御により点灯し、その点灯によりエアフィルタ１０の清掃等の必要性を使用者に報知する。
【００２５】
制御ユニット７は、マイクロコンピュータ等を用いて構成されたものであり、図２に示すように、燃焼制御部３０、ファン制御部３１、異常検知部３２及び不揮発性記憶手段であるＥＥＰＲＯＭ３３とを備えている。燃焼制御部３０は、運転スイッチ２７及び室温設定スイッチ２８等からの信号により、ガス供給管６の電磁弁２４，２５及び電磁比例弁２６や点火電極１９を通電制御し、ガスバーナ４の燃焼を制御する。ファン制御部３１は、運転スイッチ２７及び室温設定スイッチ２８等からの信号により、ファンモータ１４を通電制御して、送風ファン３の回転数を制御している。ＥＥＰＲＯＭ３３は、燃焼制御部３０、ファン制御部３１及び異常検知部３２において制御等を行うためのデータを記憶している。
【００２６】
この制御ユニット７によるガスファンヒータＦＨの運転制御は、次のようにして行われる。制御ユニット７は、室温設定スイッチ２８により設定された室温とするために燃焼制御部３０によってガスバーナ４の負荷（速数）を設定し、ファン制御部３１によってガスバーナ４の燃焼が最適となる回転数となるようにファンモータ１４の回転数を制御する。一方、ガスファンヒータＦＨの長期間の使用により、エアフィルタ１０の目詰まり等によってダクト２又はダクト５が閉塞していくと、ファンモータ１４の目標回転数を確保するための送風ファン３の負荷が減少していくため、ファンモータ１４に供給されるファン電流が減少していく。そして、ファン電流が予め定められている下限電流値を下回らなければ目標回転数を確保できない状態となったときは、ファン制御部３１はファン電流を下限電流値に固定してファンモータ１４を回転させ、下限電流値制御を行う。
【００２７】
このように、ファン制御部３１により下限電流値制御が行われると、異常検知部３２においてエアフィルタ１０の目詰まりが進行していると判断し、フィルタランプ２９を点灯させて使用者にエアフィルタ１０の清掃を促す。これにより使用者がエアフィルタ１０の清掃を行い、ダクト２又はダクト５の閉塞が解消した場合は、送風ファン３の負荷が上昇するので、ファン制御部３１は下限電流値制御ではなくファンモータ１４が目標回転数となるような電流値でファンモータ１４を駆動させる。
【００２８】
次に、ガスファンヒータＦＨの調整を行う調整ユニット３４について説明する。調整ユニット３４は、図２に示すように制御ユニット７にコネクタ３５を介して着脱自在に接続される。この調整ユニット３４は、後述するガスファンヒータＦＨの図示しない製造ラインの燃焼検査エリアにおいて検査時に接続され、検査終了時に取り外される。また、調整ユニット３４は、運転制御部３６、比較部３７、最低電流値補正部３８及び異常検知制御部３９を備えている。
【００２９】
運転制御部３６は、燃焼検査時に燃焼制御部３０及びファン制御部３１を制御することにより燃焼検査を行う際の検査運転時のガスファンヒータＦＨの運転を行う。比較部３７は検査運転時に検出されたファンモータ１４の回転数とガスバーナ４の正常燃焼に必要な目標回転数との比較を行う。最低電流値補正部３８は、検査運転時に検出されたファンモータ１４の回転数が正常な範囲ではない場合にＥＥＰＲＯＭ３３に記憶されている下限電流値のデータを変更された下限電流値に書き換える。異常検知制御部３９は、検査運転時に制御ユニット７の異常検知部３２が働いて運転が停止されることを防止する。
【００３０】
次に、製造ラインにおいてガスファンヒータＦＨの検査を行う工程について図３を参照して説明する。ガスファンヒータＦＨは、図示しない製造ラインの組立エリアにおいて組み立てられ、燃焼検査エリアにおいて組立後の燃焼検査が行われる。燃焼検査エリアにおいては、調整ユニット３４から延設されているコネクタ３５をガスファンヒータＦＨの制御ユニット７に接続し（ＳＴＥＰ１）、ガス供給管６に図示しないガス管を接続する。
【００３１】
この状態から調整ユニット３４の運転制御部３６によって検査運転が開始される。まず、運転制御部３６が制御ユニット７の燃焼制御部３０を介してガスバーナ４に点火し、ファン制御部３１を介して送風ファン３の回転を制御する（ＳＴＥＰ２）。次に、調整ユニット３４の異常検知制御部３９からの信号が制御ユニット７の異常検知部３２に送信され、異常検知部３２において高温異常停止及びフィルタ異常報知を行う際の温度の閾値が変更される（ＳＴＥＰ３）。これにより、検査運転時の異常検知部３２による高温異常停止を防止すると共にフィルタ異常報知を防止する。
【００３２】
次に、運転制御部３６によってガスバーナ４の高負荷運転が所定時間行われる（ＳＴＥＰ４）。そして、高負荷運転の状態で燃焼が安定した後、運転制御部３６によってファンモータ１４に供給されるファン電流を高負荷運転時の下限電流値Ｉ１にして下限電流値制御を行う（ＳＴＥＰ５）。そして、回転数センサ１４によってファンモータ１４の回転数を所定時間検出し、高負荷運転時における平均回転数Ｒ１を検出する。このとき、同時に室温センサ１３によって高負荷運転時における雰囲気温度Ｔ１を測定する（ＳＴＥＰ６）。
【００３３】
次に、運転制御部３６によってガスバーナ４の低負荷運転が所定時間行われる（ＳＴＥＰ７）。そして、低負荷運転の状態で燃焼が安定した後、運転制御部３６によってファンモータ１４に供給されるファン電流を低負荷運転時における下限電流値Ｉ２にして下限電流値制御を行う（ＳＴＥＰ８）。そして、高負荷運転時と同様に、回転数センサ１４によってファンモータ１４の回転数を所定時間検出し、低負荷運転時における平均回転数Ｒ２を検出し、室温センサ１３によって低負荷運転時における雰囲気温度Ｔ２を測定する（ＳＴＥＰ９）。
【００３４】
次に、比較部３７において低負荷運転時及び高負荷運転時に検出された検出回転数Ｒ２，Ｒ１と、ガスバーナ４の正常燃焼に必要な回転数領域であるＮａ，Ｎｂとを比較する。低負荷運転時の検出回転数Ｒ２が低負荷運転時の目標回転領域Ｎａに含まれており、且つ、高負荷運転時の検出回転数Ｒ１が高負荷運転時の目標回転領域Ｎｂに含まれているときは（ＳＴＥＰ１０，１１でＹＥＳ）、当該ガスファンヒータＦＨは正常であると判断され、調整が終了する。このように調整が終了し、調整ユニット３４がガスファンヒータＦＨから取り外されると、異常検知部３２において高温異常停止及びフィルタ異常通知を行う際の温度の閾値が通常設定されている閾値に戻される。
【００３５】
一方、低負荷運転時の検出回転数Ｒ２が低負荷運転時の目標回転領域Ｎａに含まれておらず（ＳＴＥＰ１０でＮＯ）、又は、高負荷運転時の検出回転数Ｒ１が高負荷運転時の目標回転数Ｎｂに含まれていないときは（ＳＴＥＰ１１でＮＯ）、次のように下限電流値の補正が行われる。まず、低負荷運転時の検出回転数Ｒ２が低負荷運転時の目標回転領域Ｎａに含まれていないときは（ＳＴＥＰ１０でＮＯ）、検出回転数Ｒ２と数式（１）で算出される目標回転数ＲＡとを比較する。この目標回転数ＲＡは、下限電流値の初期値における基準回転数であるＲａを室温センサ１３によって検出された温度で温度補償を行ったものである。
【００３６】
【数１】
ＲＡ＝Ｒａ＋Ｋ（Ｔ２−２０）＋Ａ・・・（１）
【００３７】
ここで、Ｋは電源周波数やモータトルク特性による係数であり、Ａは機種等により定まる調整補正値である。このようにして求められた目標回転数ＲＡと検出回転数Ｒ２との差に対応して補正値が求められ、補正前の下限電流値Ｉａに加減算されて補正後の下限電流値Ｉ３が求められる（ＳＴＥＰ１２）。第１の実施形態においては、両者の差が大きいものほど下限電流値Ｉａに加減算される補正値を大きくするようにしている。
【００３８】
以上のように、下限電流値が補正されると、調整ユニット３４の最低電流値補正部３８は制御ユニット７のＥＥＰＲＯＭ３３に変更された下限電流値Ｉ４を書き込む（ＳＴＥＰ１３）。そして、再度変更された下限電流値Ｉ４でファンモータ１４の回転数の検査を行い（ＳＴＥＰ１４）、低負荷運転時においてファンモータ１４の回転数が目標回転領域Ｎａに含まれていれば（ＳＴＥＰ１５でＹＥＳ）検査を終了する。このとき、ファンモータ１４の回転数が目標回転領域Ｎａに含まれていなければ、何らかの不良原因があることが予想されるので製造ラインの検査領域から除外してエラー処理を行う。
【００３９】
一方、高負荷運転時の検出回転数Ｒ１が高負荷運転時の目標回転領域Ｎｂに含まれていないときは（ＳＴＥＰ１１でＮＯ）、低負荷運転時と同様に求められる目標回転数ＲＢと検出回転数Ｒ１との差を求め、その差に応じて補正後の下限電流値であるＩ３を求める（ＳＴＥＰ１６）。そして、最低電流値補正部３８がＥＥＰＲＯＭ３３に変更された下限電流値Ｉ３を書き込み（ＳＴＥＰ１７）、下限電流値Ｉ３でファンモータ１４の回転数の検査を行い（ＳＴＥＰ１８）、高負荷運転時においてファンモータ１４の回転数が目標回転領域に含まれていれば（ＳＴＥＰ１９でＹＥＳ）検査を終了する。
【００４０】
第１の実施形態の燃焼機器の調整方法は、以上のように、ガスバーナ４を実際に燃焼させた状態で調整を行うため、ガスバーナ４を燃焼させない場合に比べて精度が高くなる。また、低負荷運転時と高負荷運転時において下限電流値におけるファンモータ１４の回転数の検査を行っているため、ファンモータ１４の特性等を的確に把握することができる。このため、エアフィルタ１０等の目詰まりによりダクト２又はダクト５が閉塞した場合であっても、高負荷から低負荷までガスバーナ４の正常な燃焼を確保することができる。
【００４１】
次に、本発明の第２の実施形態である燃焼機器の調整方法について説明する。第２の実施形態において調整が行われるガスファンヒータＦＨ及び調整を行う調整ユニット３４は上記実施形態におけるものと同様であるため詳細な説明は省略する。
【００４２】
第２の実施形態におけるガスファンヒータＦＨの調整方法は、まず、ガスファンヒータＦＨに用いられるファンモータ１４において、ファン電流を下限電流値にした場合の設計値における回転数を基準回転数とする。第２の実施形態においては、高負荷運転時の基準回転数をＲ３、低負荷運転時の基準回転数をＲ４としている。次に、上記第１の実施形態と同様に燃焼検査エリアにおいて調整ユニット３４から延設されているコネクタ３５をガスファンヒータＦＨの制御ユニット７に接続し（ＳＴＥＰ２１）、ガス供給管６に図示しないガス管を接続する。また、調整ユニット３４の運転制御部３６によって上記実施形態と同様に検査運転が開始される（ＳＴＥＰ２２，２３）。
【００４３】
次に、運転制御部３６によってガスバーナ４の高負荷運転が所定時間行われる（ＳＴＥＰ２４）。そして、高負荷運転の状態で燃焼が安定した後、運転制御部３６によってファンモータ１４の回転数が高負荷運転時の基準回転数Ｒ３となるように運転を行う（ＳＴＥＰ２５）。このとき、最低電流値補正部３８によってファンモータ１４が基準回転数Ｒ３となるファン電流値を新たな下限電流値Ｉ３とする（ＳＴＥＰ２６）。そして、調整ユニット３４の最低電流値補正部３８は制御ユニット７のＥＥＰＲＯＭ３３に変更された下限電流値Ｉ３を書き込む（ＳＴＥＰ２７）。
【００４４】
次に、運転制御部３６によってガスバーナ４の低負荷運転が所定時間行われる（ＳＴＥＰ２８）。そして、低負荷運転の状態で燃焼が安定した後、運転制御部３６によってファンモータ１４の回転数が低負荷運転時の基準回転数Ｒ４となるように運転を行う（ＳＴＥＰ２９）。このとき、最低電流値補正部３８によって下限電流値をＩ４として（ＳＴＥＰ３０）ＥＥＰＲＯＭ３３に書き込む（ＳＴＥＰ３１）。
【００４５】
このように、第２の実施形態の調整方法によれば、以上の行程によってガスファンヒータＦＨを実際に運転している状態でファンモータ１４を基準回転数Ｒ３及びＲ４とし、その際のファン電流を新たな下限電流値Ｉ３及びＩ４としている。従って、ファンモータ１４等に個体差があった場合であっても、下限電流値制御の際にはファンモータ１４は基準回転数Ｒ３及びＲ４で回転するため、ダクト２又はダクト５が閉塞した場合であっても高負荷から低負荷までガスバーナ４の正常な燃焼を確保することができる。
【００４６】
次に、本発明の第３の実施形態について図５を参照して説明する。第３の実施形態において調整が行われるガスファンヒータＦＨ及び調整を行う調整ユニット３４は上記第１の実施形態におけるものと同様であるため詳細な説明は省略する。
【００４７】
第３の実施形態におけるガスファンヒータＦＨの調整方法は、まず、ガスファンヒータＦＨに用いられるファンモータ１４において、ファン電流を下限電流値にした場合の設計値における回転数を基準回転数とする。第３の実施形態においては、高負荷運転時の基準回転数をＲ３、低負荷運転時の基準回転数をＲ４としている。次に、上記第１の実施形態と同様に燃焼検査エリアにおいて調整ユニット３４から延設されているコネクタ３５をガスファンヒータＦＨの制御ユニット７に接続し（ＳＴＥＰ４１）、ガス供給管６に図示しないガス管を接続する。また、調整ユニット３４の運転制御部３６によって上記実施形態と同様に検査運転が開始される（ＳＴＥＰ４２，４３）。
【００４８】
次に、運転制御部３６によってガスバーナ４の高負荷運転が所定時間行われる（ＳＴＥＰ４４）。そして、高負荷運転の状態で燃焼が安定した後、運転制御部３６によってファンモータ１４の回転数が高負荷時の基準回転数Ｒ３となるように運転を行うと共に（ＳＴＥＰ４５）、その際のファン電流値Ｉ３を測定する（ＳＴＥＰ４６）。
【００４９】
次に、運転制御部３６によってガスバーナ４の低負荷運転が所定時間行われる（ＳＴＥＰ４７）。そして、低負荷運転の状態で燃焼が安定した後、運転制御部３６によってファンモータ１４の回転数が低負荷時の基準回転数Ｒ４となるように運転を行うと共に（ＳＴＥＰ４８）、その際のファン電流値Ｉ４を測定する（ＳＴＥＰ４９）。
【００５０】
次に、比較部３７において低負荷運転時及び高負荷運転時に検出されたファン電流値Ｉ４，Ｉ３と、それぞれのファン電流値の許容範囲であるＮｄ，Ｎｃとを比較する。低負荷運転時のファン電流値Ｉ４が低負荷運転時のファン電流値の許容範囲であるＮｄに含まれており、且つ、高負荷運転時のファン電流値Ｉ３が高負荷運転時のファン電流値の許容範囲であるＮｃに含まれているときは（ＳＴＥＰ５０，５１でＹＥＳ）、当該ガスファンヒータＦＨは正常であると判断され、調整が終了する。
【００５１】
一方、低負荷運転時のファン電流値Ｉ４が許容範囲であるＮｄに含まれていないときは（ＳＴＥＰ５０でＮＯ）、ファン電流値Ｉ４を許容範囲Ｎｄの中間値である変更後のファン電流値に変更する。同様に、高負荷運転時のファン電流値Ｉ３が許容範囲であるＮｃに含まれていないときは（ＳＴＥＰ５１でＮＯ）、ファン電流値Ｉ３を許容範囲Ｎｃの中間値である変更後のファン電流値に変更する。
【００５２】
以上のように、下限電流値が変更されると、調整ユニット３４の最低電流値補正部３８は制御ユニット７のＥＥＰＲＯＭ３３に変更された下限電流値を書き込む（ＳＴＥＰ５２）。また、高負荷運転時のファン電流値についても、上記と同様に下限電流値の調整を行う（ＳＴＥＰ５３）。
【００５３】
尚、上記各実施形態においては、調整ユニット３４はガスファンヒータＦＨの制御ユニット７にコネクタ３５を介して接続しているが、これに限らず、制御ユニット７がリモコンの送受信回路等を備えているものであれば、当該送受信回路を介して無線で検査運転時の運転制御やＥＥＰＲＯＭの書き込み等を行ってもよい。また、上記第２及び第３の実施形態においても第１の実施形態のように下限電流値の検出時に室温を検出し、ファンモータ１４の温度特性に合わせて温度補償を行ってもよい。また、第２及び第３の実施形態においても第１の実施形態と同様に、変更された下限電流値において下限電流値制御を行い、その際のファン回転数が所定の許容範囲内にあるか否かを検査してもよい。
【００５４】
また、上記各実施形態においては、燃焼機器としてガスファンヒータを例に説明したが、これに限らず、バーナと空気通路とファンとが備えられているものであれば給湯器等の調整に用いてもよい。
【図面の簡単な説明】
【図１】燃焼機器の構成を示す説明図。
【図２】燃焼機器の電気的構成を示すブロック図。
【図３】第１の実施形態の調整方法を示すフローチャート。
【図４】第２の実施形態の調整方法を示すフローチャート。
【図５】第３の実施形態の調整方法を示すフローチャート。
【符号の説明】
ＦＨ…ガスファンヒータ（燃焼機器）、２…ダクト（空気通路）、３…送風ファン、４…ガスバーナ、５…ダクト（空気通路）、３１…ファン制御部、３３…ＥＥＰＲＯＭ（記憶手段）。
【図１】
2004183928.tif 000003
【図２】
2004183928.tif 000004
【図３】
2004183928.tif 000005
【図４】
2004183928.tif 000006
【図５】
2004183928.tif 000007